(57)【要約】【課題】読取倍率、および光源の光量変動期間のバラツキに対応してキャリッジ移動動作タイミングを可変制御し、画像品質の低下を招くことなく、１スキャンの動作を極力短時間にて読取ることを目的とする。【解決手段】読取対象を照射する光源を搭載した走行体を往復移動動作させる光源駆動手段と、前記光源駆動手段によって、前記読取対象を露光走査して画像の読み取りを行う読取手段を有する画像読取装置であって、前記読取手段による動作開始時における前記光源駆動手段の駆動開始のタイミングを複数記憶可能な記憶手段と、前記走行体に搭載された光源を点灯してからの経過した時間を計測する時間計測手段と、前記時間計測手段にて計測した時間が、前記記憶手段に記憶されたタイミングと一致すると同時に、前記光源駆動手段の駆動を開始させるタイミング制御手段とを備える。【選択図】図２
2009204852.tif 000002
【特許請求の範囲】
【請求項１】
読取対象を照射する光源を搭載した走行体を往復移動動作させる光源駆動手段と、
前記光源駆動手段によって、前記読取対象を露光走査して画像の読み取りを行う読取手段を有する画像読取装置であって、
前記読取手段による動作開始時における前記光源駆動手段の駆動開始のタイミングを複数記憶可能な記憶手段と、
前記走行体に搭載された光源を点灯してからの経過した時間を計測する時間計測手段と、
前記時間計測手段にて計測した時間が、前記記憶手段に記憶されたタイミングと一致すると同時に、前記光源駆動手段の駆動を開始させるタイミング制御手段とを備えることを特徴とする画像読取装置。
【請求項２】
前記記憶手段は、前記走行体に搭載された光源点灯直後の光量変動期間情報、前記走行体初期位置から読取対象先端までの距離情報、前記走行体の移動速度、及び前記走行体の加速度情報が格納されることを特徴とする請求項１記載の画像読取装置。
【請求項３】
さらに、読取倍率から前記走行体の移動速度を算出し、前記記憶手段に格納された情報に基づいて、前記走行体の駆動の開始タイミングを演算するタイミング演算手段を有することを特徴とする請求項１又は２に記載の画像読取装置。
【請求項４】
前記タイミング制御手段は、前記タイミング演算手段により演算されたタイミングに応じて前記光源駆動手段の駆動開始タイミングを制御することを特徴とする請求項１から３のいずれか1項に記載の画像読取装置。
【請求項５】
前記タイミング演算手段は、前記走行体の駆動開始タイミングの演算結果が０あるいは負の値を示す場合には、０として演算結果を返すことを特徴とする請求項１から４のいずれか１項に記載の画像読取装置。
【請求項６】
さらにシェーディング補正を行なう為のシェーディング補正データ生成用の基準白色板を有し、
前記基準白板を読み取って得られたデータから前記光源の光量変動レベルを検出する光量変動検出手段と、
前記光量変動検出手段にて検出された光量変動レベルから前記光源の光量変動期間を演算する光量変動期間演算手段とを有することを特徴とする請求項１から５のいずれか1項に記載の画像読取装置。
【請求項７】
前記記憶手段は、前記光量変動期間演算手段にて演算された光量変動期間情報を格納することを特徴とする請求項１から６のいずれか１項に記載の画像読取装置。
【発明の詳細な説明】
【技術分野】
【０００１】
本発明は、スキャン動作において、ユーザーが操作部のスキャン開始スイッチを押下してから、読取対象物の露光走査が開始されるまでの時間を短縮し、１スキャンあたりの動作時間を短縮することが可能な画像読取装置に関する。
【背景技術】
【０００２】
光源からの光を原稿等の対象物に照射し、その反射光を光電変換素子によって光電変換し、該光電変換素子から得られる出力信号を利用して該原稿画像情報を読み取る従来の画像読取装置の全体構成について図１４を用いて説明する。
【０００３】
原稿を搭載するコンタクトガラス１４０１、シートスルー用読み取り窓１４０２、白レベル調整（ゲイン調整）やシェーディング補正データ生成用の基準白板１４０３、原稿を照射する光源１４０７及び第１ミラー１４０８が搭載される第１キャリッジ１４０９、第２ミラー１４１０、第３ミラー１４１１が搭載される第２キャリッジ１４１２、キャリッジ位置を検出するために備えられたホームポジションセンサ１４１７、電荷結合素子イメージセンサ（ＣＣＤ）１４１４上に縮小結像させるレンズユニット１４１３、光電変換素子であるＣＣＤ１４１４を搭載した画像読取回路１４１５、画像処理回路１４１６、また図示してはいないが、第１、第２キャリッジを駆動するスキャナ駆動モーター、原稿センサ等から構成される。
【０００４】
前記構成において、コンタクトガラス１４０１上に原稿１４０５が搭載された際には、光源１４０７が点灯され、制御部からの制御信号によってスキャナ駆動モーターを回転動作させることにより、第１キャリッジ１４０９、および第２キャリッジ１４１２（第１、および第２キャリッジをまとめてキャリッジと記す）が、右方向に移動走査して原稿１４０５の画像情報が読み取られる。また、原稿搬送装置１４０４に原稿１４０６が搭載された際には、キャリッジは停止状態のままであり、搬送される原稿１４０６は光源１４０７に照射され、シートスルー用読み取り窓１４０２を介して画像情報が読み取られる。
【０００５】
コンタクトガラス１４０１上に原稿１４０５を搭載し読み取る場合には、原稿の読み取りに先立ち、基準白板のデータを取得し、シェーディング補正データを生成した後、メモリに記憶しておき、そのシェーディング補正用データから原稿１４０５の画像データ正規化することによって、該装置における光量分布ムラ、ＣＣＤの感度ムラを補正し、原稿の画像情報を高品質で読み取ること可能である。一方、キャリッジを停止状態のまま、原稿１４０６を搬送して画像データを読み取るシートスルー読み取りの場合には、原稿１４０６の読み取り前に、キャリッジを基準白板１４０３の下に移動させてシェーディング補正データを生成し、その後、シートスルー読み取り位置に復帰してから原稿の搬送を開始して読み取り動作が開始される。
【０００６】
前記のような一般的な画像読取装置において、キャリッジを駆動して読取動作を行わせる際、立ち上げと同時に即座に駆動モーターを目標読取速度（線速）で起動させることができない。すなわち、図１５に示すように、キャリッジは、停止状態から目標読取速度に向けてスルーアップ制御によって目標読取速度まで加速し、目標読取速度に到達した時点から実際の読取期間が終了するまで、一定速度にて読取対象を露光走査する制御が行われる。読取期間が終了すると、キャリッジはスルーダウン制御によって減速し、停止する。その後、キャリッジは、次の読取動作のためにホームポジション（ＨＰ）に戻す必要があるので、同様にスルーアップ、スルーダウン制御にて原点位置に復帰する。
【０００７】
近年では、画像読取装置が備えられたデジタル複合機等が普及しており、１スキャンあたりの動作時間の短縮が所望されており、動作時間短縮へむけた技術開発が盛んに行われている。例えば、特許文献１では、圧板での読み取り動作を繰り返し行うような画像読取装置において、初回の画像読み取り動作の開始位置を、原稿先端から基準白板を越えた遠い位置（ＨＰ）に設定し、初回読み取り走査時に基準白板を読取り、シェーディング補正を行い、２回目以降の読み取りでは、必要な走行体の目標速度が得られる最短位置を読み取り開始位置としている。一連の画像読み取り動作の終了後には、再びＨＰに戻るように制御して、シェーディング補正に掛かる時間を短縮し、繰り返しのコピー処理効率を向上させた画像読取装置について開示されている。
【特許文献１】特開平１１−１３６４５４号公報
【０００８】
ところで、従来のデジタル複写機が備える画像読取装置における光源として代表的なものには、キセノンランプやハロゲンランプが知られる。これらの光源は、高輝度、高寿命ではあるが、画像読取動作に際して、以下に挙げる問題点がある。すなわち、図１６に示すように、光源の点灯を開始すると、光源光量は即座に所望の光量になるわけではなく、光源の自己発熱による蛍光材特性変化等が原因となって、光源点灯直後からある期間、光量変動が発生する。このような光量変動期間に読取対象物の画像データの取り込みを実行すると、画像データの濃度が変化してしまい、高品質の画像データが得られない。そこで従来の画像読取装置においては、図１７に示すように、光量変動期間が経過するのを待って、光量が安定した後にキャリッジの移動動作を開始するのが一般的である。
【発明の開示】
【発明が解決しようとする課題】
【０００９】
しかしながら、上記の発明においては、連続読み取り動作の初回動作時に読取倍率に応じて、適切なキャリッジ移動距離を演算し、２回目以降の読み取り時にキャリッジ移動開始位置を可変制御するものであり、初回動作時、あるいは1スキャンしか行わない場合には効果を得ることができない。また、光源の光量が安定するまでキャリッジを待機し、光量安定後にキャリッジの移動を開始していたために、１スキャンあたりの動作に要する時間が長くなっていた。
【００１０】
本発明は、上記問題点に鑑みてなされたもので、画像品質の劣化を招くことなく、画像読取動作における１スキャンに要する時間を極力短縮した画像読取装置を提供することを目的とする。
【課題を解決するための手段】
【００１１】
上記課題を解決するため、本発明の画像読取装置によれば、読取対象を照射する光源を搭載した走行体を往復移動動作させる光源駆動手段と、光源駆動手段によって、読取対象を露光走査して画像の読み取りを行う読取手段を有する画像読取装置であって、読取手段による動作開始時における光源駆動手段の駆動開始のタイミングを複数記憶可能な記憶手段と、走行体に搭載された光源を点灯してからの経過した時間を計測する時間計測手段と、時間計測手段にて計測した時間が、記憶手段に記憶されたタイミングと一致すると同時に、光源駆動手段の駆動を開始させるタイミング制御手段とを備えることを特徴とする。
【００１２】
記憶手段は、前記走行体に搭載された光源点灯直後の光量変動期間情報、走行体初期位置から読取対象先端までの距離情報、走行体の移動速度、及び走行体の加速度情報が格納されることを特徴とする。
【００１３】
さらに、読取倍率から走行体の移動速度を算出し、記憶手段に格納された情報に基づいて、走行体の駆動の開始タイミングを演算するタイミング演算手段を有することを特徴とする。
【００１４】
タイミング制御手段は、タイミング演算手段により演算されたタイミングに応じて光源駆動手段の駆動開始タイミングを制御することを特徴とする。
【００１５】
タイミング演算手段は、走行体の駆動開始タイミングの演算結果が０あるいは負の値を示す場合には、０として演算結果を返すことを特徴とする。
【００１６】
さらにシェーディング補正を行なう為のシェーディング補正データ生成用の基準白色板を有し、基準白板を読み取って得られたデータから光源の光量変動レベルを検出する光量変動検出手段と、光量変動検出手段にて検出された光量変動レベルから光源の光量変動期間を演算する光量変動期間演算手段とを有することを特徴とする。
【００１７】
記憶手段は、光量変動期間演算手段にて演算された光量変動期間情報を格納することを特徴とする。
【発明の効果】
【００１８】
本発明により、読取倍率、および光源の光量変動期間のバラツキに対応してキャリッジ移動動作タイミングを可変制御でき、画像品質の低下を招くことなく、１スキャンの動作を極力短時間にて読取可能となる。
【発明を実施するための最良の形態】
【００１９】
以下、本発明の好適な実施形態につき詳細に説明する。
【００２０】
（実施形態１）
本発明の実施形態に係る画像読取装置のキャリッジの動作開始のタイミングについて図１を用いて説明する。図１に示すように、光源光量変動期間から光源光量安定期間に移行した直後のタイミングで、キャリッジが読取対象物の先端に位置するようにできれば、従来例に比べて１スキャンに要する時間を短縮することが出来る。すなわち、光源点灯直後からある時間（Ｔｗａｉｔ）待機させてキャリッジの移動動作を開始することによって、光量の安定と同時に画像データを取り込みできる。キャリッジ待機時間（Ｔｗａｉｔ）は、光量変動期間（Ｔｃｏｎｓｔ）と、キャリッジ加速時間（Ｔａ）、キャリッジ等速期間（Ｔｂ）を用いて、
Ｔｗａｉｔ＝Ｔｃｏｎｓｔ−Ｔａ−Ｔｂ
で表される。
【００２１】
ところで、従来の画像読取装置の多くは、画像データの変倍処理（拡大・縮小処理）を行うにあたり、キャリッジの移動速度を等倍（変倍率１００％）時と異ならせて移動させることにより、読取密度を変更する方法が用いられている。例えば、等倍時において３００ｍｍ／Ｓｅｃである場合、５０％縮小時には６００ｍｍ／Ｓｅｃ、２００％に拡大する場合には１５０ｍｍ／Ｓｅｃとなり、読取倍率が決まれば、キャリッジ移動速度は一意に決まる。また、キャリッジが読取対象物の先端まで移動するのに要する時間は、キャリッジ移動速度によって異なってくる。以下に、加速度が一定である場合のＴａ、及びＴｂの演算方法について記す。
Ｖ：キャリッジ移動速度
α：加速度
Ｘ：ＨＰから読み取り対象物の先端（例えば基準白板先端）までの距離
と定義すると、Ｔａ、Ｔｂはそれぞれ
【数１】
2009204852.tif 000003
で表され、このときＴｗａｉｔは、次式によって算出できる。
【数２】
2009204852.tif 000004
【００２２】
図２は、本発明の実施形態に係る画像読取装置のシステム構成を示す図である。本システムは、キャリッジ駆動開始タイミング変更部２１０と、時間計測部２１１と、記憶部２１２を構成要素とするスキャナ制御部２０１を有し、さらにモータードライバ２０２と、ステッピングモーター２０３と、キャリッジ２０４と、光源駆動部２０５と、光源２０６と、ＣＣＤ２０８を搭載した画像読取回路２０７と、読取条件等を設定する操作部２０９から構成される。時間計測部２１１は、光源２０６点灯後の経過時間を計測し、記憶部２１２では、読取倍率に対応付けたキャリッジ駆動開始のタイミング（Ｔｗａｉｔ）が記憶されている。モータードライバ２０２は、スキャナ制御部２０１から出力されるモーター駆動信号（クロック信号、励磁モード設定信号、モーター電流値設定信号等）に従ってステッピングモーター２０３を駆動し、ステッピングモーター２０３の回転動作に従ってキャリッジ２０４が移動動作する。また、光源駆動部２０５は、スキャナ制御部２０１から出力される光源駆動信号（点灯クロック信号、ON／OFF信号）に従って光源２０６を点灯させ、ＣＣＤ２０８により、光源２０６からの反射光が受光される。
【００２３】
記憶部２１２に格納されるキャリッジ駆動開始タイミングは、設定し得る全変倍率に対応付けて格納できれば良いが、記憶部２１２の記憶容量によっては、出来ない場合も考えられる。そのような場合には、図３の一例に示すように設定し得る変倍率をある範囲で区切って、範囲毎にキャリッジ駆動タイミングを割り当てる。その際、画像読取開始信号がアサートされた時点でキャリッジが読取対象物の先端を過ぎてしまうような事態を避けるために、各範囲に割り当てるキャリッジ駆動開始タイミングは、各範囲の中で最も小さい倍率の値としなければならない。
【００２４】
図４は、キャリッジ駆動タイミングを図３に示す範囲で倍率を区切って記憶部に記憶した際の動作フローを示したものである。まず、操作部２０９にて読取倍率が設定されると（ステップＳ４０１）、スキャナ制御部２０１は、操作部２０９から設定された変倍率情報に関する信号を受け取り、倍率が１００％未満であるか判定を行う（ステップＳ４０２）。倍率が１００％未満である場合には、キャリッジ駆動開始タイミングはＴ１と判断され（ステップＳ４０３）、キャリッジ駆動開始タイミング変更部２１０のＴｗａｉｔがＴ１と設定される（ステップＳ４０７）。一方、１００％以上である場合には、さらに倍率が１００％以上、１５０％未満の範囲内であるかが判定され（ステップＳ４０４）、範囲内であれば、キャリッジ駆動開始タイミングをＴ２（ステップＳ４０５）、１５０％以上である場合にはＴ３として（ステップＳ４０６）判断し、判断された値がそれぞれキャリッジ駆動開始タイミング変更部２１０のＴｗａｉｔとして設定される（ステップＳ４０７）。
【００２５】
続いて、本実施形態における駆動開始タイミング設定後の動作フローについて図５に示す。スキャナ制御部２０１が、操作部２０９より読取動作実行を示す信号を受け取ると、即座に光源２０６が点灯され、それと同時に時間計測部２１１によって経過時間（Ｔ０）が計測される（ステップＳ５０１）。その後、Ｔ０が走行体駆動開始タイミング変更部２１０に設定された駆動開始タイミングと計測時間が一致しているか判定を行い（ステップＳ５０２）、一致した時点でスキャナ制御部２０１からモータードライバ２０２へモーター駆動信号が出力され、その後キャリッジ２０４の移動動作が開始される（ステップＳ５０３）。
【００２６】
（実施形態２）
図６は、本発明の他の実施形態に係る画像読取装置のシステム構成について示した図であり、前記した図２の構成に、スキャナ制御部の構成要素として演算部６１３を加えた構成となっている。また、記憶部２１２には、走行体駆動開始タイミングを演算するために必要な、キャリッジ駆動時の加速度情報、ＨＰから読み取り対象物の先端（基準白板先端）までの距離情報、光源点灯直後から光量が安定するまでの光量変動期間情報等が記憶されており、前記のような演算方法によって、キャリッジ駆動開始タイミングが演算可能である。
【００２７】
図７は、図６記載の画像読取装置の読取倍率設定時の動作フローを示した図である。操作部２０９にて読取倍率が設定されると、スキャナ制御部２０１は、設定された変倍率情報に関する信号を受け取る（ステップＳ７０１）。次に、設定された倍率に応じて、演算部６１３によりキャリッジ移動速度が算出される（ステップＳ７０２）。続いて、演算部６１３は、記憶部２１２よりタイミング演算に必要な情報を読み出して、キャリッジ駆動開始タイミングを演算し（ステップＳ７０３）、演算したキャリッジ駆動開始タイミングがキャリッジ駆動開始タイミング変更部に設定される（ステップＳ７０４）。画像読取動作時の動作フローは図５記載のフローに従う。
【００２８】
また、キャリッジ移動速度を等倍時と異なる移動速度によって読取密度を変更する方法を用いた画像読取装置の場合、設定し得る読取倍率範囲は、キャリッジを駆動するモーター、およびモータードライバ等の駆動部品性能に依存する。従って、拡大倍率時には、キャリッジ移動速度が遅く、キャリッジを移動して読取対象の先端に到達した時点で、既に光量変動期間が終わり、光量安定期間になっていることが考えられる。このような場合には、走行体駆動開始タイミングの演算結果は、０あるいは負の値を示すことになる。このような時には、キャリッジが光源点灯直後に待機する必要は無く、読取動作開始の命令が操作部より送信されたら、光源点灯と同時にキャリッジ移動を開始するのが好ましい。そのため、演算結果に０あるいは負の値が得られた場合には、Ｔｗａｉｔ＝０として、光源点灯とキャリッジ移動動作を同時に開始すればよい。
【００２９】
図８は、前記したように演算部にて走行体駆動開始タイミングが０あるいは負の値を示したときの動作フローを示す図である。操作部２０９にて読取倍率が設定されると、スキャナ制御部２０１は、設定された倍率情報に関する信号を受け取る（ステップＳ８０１）。次に、設定された倍率に応じて、演算部６１３によりキャリッジ移動速度が算出される（ステップＳ８０２）。続いて、演算部６１３は、記憶部２１２よりタイミング演算に必要な情報を読み出して、キャリッジ駆動開始タイミングを演算する（ステップＳ８０３）。このとき、キャリッジ駆動開始タイミングが０より大きい値か否かの判定が行われ（ステップＳ８０４）、０より大きい値であれば、演算された値がキャリッジ駆動開始タイミング変更部にそのまま演算結果が設定される（ステップＳ８０５）。演算結果が０または負の値であった場合には、Ｔｗａｉｔ＝０として、キャリッジ駆動開始タイミング変更部に設定される（ステップＳ８０６）。
【００３０】
（実施形態３）
また、他の実施形態として、例えば、Ａ３からＡ４サイズへの縮小時の読取倍率：７１％や、Ａ４からＡ３サイズへの拡大時の読取倍率：１４１％といった、一般的に設定頻度の高い読取倍率に対しての走行体駆動タイミングはあらかじめ記憶部２１２に格納しておき、その他の設定頻度の低い読取倍率に対しては、演算部６１３による処理によって設定の度に演算する方法について説明する。これにより、スキャナ制御部２０１の処理負荷を低減させられる。その際には、図６の記憶部２１２には、走行体駆動開始タイミングを演算するために必要な、キャリッジ駆動時の加速度情報、ＨＰから読み取り対象物の先端（基準白板先端）までの距離情報、光源点灯直後から光量が安定するまでの光量変動期間情報等に加えて、さらに読取倍率に対応付けたキャリッジ駆動開始タイミングが複数記憶される。
【００３１】
図９は、前記方法についての動作フローを示したものである。操作部２０９にて読取倍率が設定されると、スキャナ制御部２０１は、設定された倍率情報に関する信号を受け取る（ステップＳ９０１）。ここで、設定された倍率が、記憶部２１２に格納されている倍率か判定が行われ（ステップＳ９０２）、格納されている倍率である場合には、その倍率に対応したキャリッジ駆動開始タイミングが記憶部２１２より読み出され（ステップＳ９０３）、読み出された値がキャリッジ駆動開始タイミング変更部に設定される（ステップＳ９０６）。設定された倍率が記憶部２１２に格納されていない場合には、演算部６１３により、設定された倍率に応じたキャリッジ移動速度が算出される（ステップＳ９０４）。続いて、記憶部２１２よりタイミング演算に必要な情報を読み出して、キャリッジ駆動開始タイミングが演算され（ステップＳ９０５）、演算結果がキャリッジ駆動開始タイミング変更部に設定される（ステップＳ９０６）。
【００３２】
（実施形態４）
ところで、画像読取装置の光源には、１台毎に光量変動期間にバラツキがあるため、あらかじめ設定された光量変動期間（Ｔｃｏｎｓｔ）が経過しても、光源光量が安定しない、あるいは、必要以上に光量変動期間が長く設定されている場合が想定される。前者の場合、光量変動期間に相当する画像先端側と、光量安定期間に相当する画像後端側とで、画像濃度に差が生じ、画像品質低下を招く。また、後者の場合は、1スキャンに要する時間短縮の効果を十分に発揮できない。そこで、画像読取装置1台毎に光量変動期間の調整を行えば、画像品質の低下を防止し、１スキャンの時間を短縮することが可能である。
【００３３】
図１０は、前記問題点を解決するための実施形態における構成図であり、画像読取回路２０７が読み取った画像データに画像処理等を施す画像処理回路１０１４が加わった構成となっている。また、図１１は、本実施形態における画像読取回路２０７及び画像処理回路１０１４についての構成例を示す。画像読取回路２０７は、ＣＣＤ２０８と、ＣＣＤドライバ１１１５と、駆動タイミング信号生成部１１１６と、アナログ信号処理回路１１１７を有しており、画像処理回路１０１４は、シェーディング補正部１１１８と、画像処理部１１１９と、画像処理回路制御部１１２０と、記憶部１１２１とで構成される。ＣＣＤ２０８により原稿が読み取られると、駆動タイミング信号生成部１１１６から出力されるＣＣＤ駆動クロックに同期してＣＣＤ２０８からＣＣＤ出力信号が出力される。アナログ信号処理回路１１１７では、出力された信号をサンプルホールド、可変ゲインアンプ（増幅部）による信号増幅、Ａ／Ｄ変換（デジタル変換）等の信号処理を行い、デジタルデータとしてシェーディング補正部１１１８へと出力する。シェーディング補正部１１１８では、シェーディング補正データ取得のための基準白板読取時に、ＣＣＤ２０８の各画素毎に平均化処理を順次実施し、シェーディング補正データとしてメモリに格納し、前記補正データを基に原稿の画像データを正規化処理し、画像処理部１１１９へ画像データを出力する。画像処理回路制御部１１２０は、駆動タイミング信号生成部１１１６の制御を行うとともに、シェーディング補正回路をスルーした画像データを記憶部１１２１に記憶させて、記憶された基準白板読取データを読み出して演算処理を行う。
【００３４】
図１２は、光量変動期間調整方法の一例を示す動作フローである。まず、光源２０６点灯直後から一定期間（光量変動期間標準値に対して十分に長い期間）、基準白板データが取得され、画像処理回路内の記憶部１１２１に格納される（ステップＳ１２０１）。次に、画像処理回路制御部１１２０にて、得られた基準白板読取データは、主走査１ライン毎に平均化処理（平均する画素数、画素位置は任意）され（ステップＳ１２０２）、それぞれの平均データに対して、時系列に１つ前のラインとの差分（ΔＷ）が演算される（ステップＳ１２０３）。図１３に示すように、光源の性能や、画像品質（濃度差が目立たない）レベルを考慮して、光量が安定した際の変動量の閾値（ΔＴｈ）をあらかじめ定めておき、光量変動期間と光量安定期間との境界は、図のようにΔＷ＜ΔＴｈとなる値が、ｎライン（ｎは任意の光量安定期間と判断するのに十分な値）以上連続する境界となる。そこで、ΔＷ＜ΔＴｈとなる値が、ｎライン以上連続する境界が検出され（ステップＳ１２０４）、その境界の先頭ライン位置より光量変動期間として必要な期間が読取ライン周期より演算される（ステップＳ１２０５）。続いて、演算結果が記憶部１１２１にＴｃｏｎｓｔとして設定され、調整動作終了となる（ステップＳ１２０６）。
【００３５】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更を加えることができることは明らかである。
【図面の簡単な説明】
【００３６】
【図１】本発明の実施形態に係る画像読取装置のキャリッジの動作開始のタイミングを示す図である。
【図２】本発明の実施形態に係るシステム構成を示す図である。
【図３】特定の読取倍率範囲で区切ったときのキャリッジ駆動開始タイミング割り当て例である。
【図４】特定の読取倍率範囲で区切ってキャリッジ駆動開始タイミングを割り当てた際の動作フローを示す図である。
【図５】本発明の実施形態に係るキャリッジ駆動開始タイミング設定後の動作フローについて示す図である。
【図６】本発明の実施形態に係る他のシステム構成を示す図である。
【図７】キャリッジ駆動開始タイミングを演算によって設定する際の動作フローを示す図である。
【図８】演算結果が０あるいは負の値であった場合の動作フローを示す図である
【図９】キャリッジ駆動開始タイミングを設定頻度の高い読取倍率はあらかじめ記憶部に格納しておき、その他の読取倍率に対しては、演算によって設定する際の動作フローを示す図である。
【図１０】本発明の実施形態に係る他のシステム構成を示す図である。
【図１１】本発明の実施形態に係る画像読取回路、および画像処理回路の構成図である。
【図１２】光量変動期間の調整方法における動作フローを示す図である。
【図１３】光量変動閾値を示す図である。
【図１４】従来の画像読取装置における構成図である。
【図１５】キャリッジの移動速度を示す図である。
【図１６】光源の光量変動を示す図である。
【図１７】従来の画像読取装置におけるキャリッジの動作開始のタイミングを示す図である。
【符号の説明】
【００３７】
２０１    スキャナ制御部
２０２    モータードライバ
２０３    ステッピングモーター
２０４    キャリッジ
２０５    光源駆動部
２０６    光源
２０７    画像読取回路
２０８    ＣＣＤ
２０９    操作部
２１０    キャリッジ駆動開始タイミング変更部
２１１    時間計測部
２１２    記憶部
６１３    演算部
１０１４    画像処理回路
１１１５    ＣＣＤドライバ
１１１６    駆動タイミング信号生成部
１１１７    アナログ信号処理回路
１１１８    シェーディング補正部
１１１９    画像処理部
１１２０    画像処理回路制御部
１１２１    記憶部
１４０１    コンタクトガラス
１４０２    シートスルー用読み取り窓
１４０３    基準白板
１４０４    原稿搬送装置
１４０５    原稿
１４０６    原稿
１４０７    光源
１４０８    第１ミラー
１４０９    第１キャリッジ
１４１０    第２ミラー
１４１１    第３ミラー
１４１２    第２キャリッジ
１４１３    レンズユニット
１４１４    ＣＣＤ
１４１５    画像読取回路
１４１６    画像処理回路
【図１】
2009204852.tif 000005
【図２】
2009204852.tif 000006
【図３】
2009204852.tif 000007
【図４】
2009204852.tif 000008
【図５】
2009204852.tif 000009
【図６】
2009204852.tif 000010
【図７】
2009204852.tif 000011
【図８】
2009204852.tif 000012
【図９】
2009204852.tif 000013
【図１０】
2009204852.tif 000014
【図１１】
2009204852.tif 000015
【図１２】
2009204852.tif 000016
【図１３】
2009204852.tif 000017
【図１４】
2009204852.tif 000018
【図１５】
2009204852.tif 000019
【図１６】
2009204852.tif 000020
【図１７】
2009204852.tif 000021